(57)【特許請求の範囲】
【請求項１】
内部に空洞状の収納部を有するカバー部材と、前記収納部内に収納されて前記カバー部材から外方に突出させた操作部を押圧操作可能なスライド部材とを備え、前記スライド部材は、前記収納部内に位置するスイッチ支持部に可動接点を支持し、この可動接点は、略長方形状の金属板からなり、短手方向における一方側に支点部を一対形成すると共に短手方向における他方側に可動接点部を形成して、前記収納部の内底面には、前記可動接点が当接可能な固定端子を配設し、前記スライド部材には、前記スイッチ支持部に前記可動接点の前記支点部を支持可能な第１支持部を備えた支持壁と、前記可動接点部を形成した前記可動接点の前記他方側を支持可能な第２支持部を備えた壁部材とが設けられており、前記第１支持部は、前記支持壁に形成され、前記可動接点の前記支点部を支持可能な隙間を有する、それぞれ一対の第１支持突起と第２支持突起とからなり、該第１支持突起と第２支持突起との前記隙間に前記支点部を位置させて前記可動接点の前記一方側を前記スライド部材の前記支持壁側に支持すると共に、前記第２支持部は、前記支持壁と対向する前記壁部材の下方に設けられ前記支持壁側に突出形成された鈎状のストッパー部からなり、該ストッパー部の上部に前記可動接点の前記他方側を位置させて支持し、前記スライド部材を押圧操作すると、前記可動接点は、前記可動接点部が前記固定端子に当接して前記支点部を支点として、前記ストッパー部に支持した前記可動接点の短手方向における前記他方側が回動して前記ストッパー部から離間するようにしたことを特徴とするスイッチ装置。
【請求項２】
前記固定端子は、前記可動接点の前記可動接点部が当接可能な固定接点部を有し、前記可動接点の前記可動接点部の表面に設けた当接面および／または前記固定端子の前記固定接点部の表面に設けた当接面を、円弧状にふくらませて形成したことを特徴とする請求項１記載のスイッチ装置。
【請求項３】
前記可動接点は、前記可動接点部が固定端子側に常時弾性付勢され、前記スライド部材を押圧操作すると、前記可動接点に形成した前記支点部から遠い側の前記可動接点部の前記当接面が、前記固定接点部に最初に当接し、その後、前記可動接点が前記回動することにより、互いに当接する前記当接面の当接位置が前記遠い側から前記可動接点部の中央部を経由して、前記可動接点部の中央部を挟んで前記遠い側と対向する位置にある前記支点部から近い側に移動するようにしたことを特徴とする請求項２記載のスイッチ装置。
【発明の詳細な説明】
【０００１】
【発明の属する技術分野】
本発明は、スイッチ装置に係り、特に電子機器の電源スイッチとして使用されるスイッチ装置にスイッチ装置に関する。
【０００２】
【従来の技術】
従来の電源スイッチとして使用されるスイッチ装置を図１２、図１３で説明する。従来のスイッチ装置は、絶縁材からなるケース２１と、このケース２１の内底面に配設され上面に固定接点部２２ａを固着した固定端子２２と、この固定端子２２に隣接してケース２１の内底面に配設した中央端子２３と、この中央端子２３に可動可能に支持され、一端部に固定端子２２と接離可能な可動接点部２９を形成した可動接点２８と、この可動接点２８と中央端子２３とに係支され可動接点２８を支持する支持板２７と、可動接点２８と中央端子２３との間に屈曲されて係支され、自身の屈曲動作により可動接点２８を上下方向に駆動させる板バネ３０と、この板バネ３０の突起３０ａに当接するスライド部材３１とから主の構成されている。
そして、スライド部材３１の操作部３１ａを押圧操作することにより、板バネ３０を介して固定接点２８の可動接点部２９が固定端子２２の方向、あるいは固定端子２２から離れる方向に変位可能になっている。
【０００３】
このような従来のスイッチ装置は、スライド部材３１の操作部３１ａを矢印Ａ方向に押圧操作すると、突起３０ａがスライド部材３１に押圧されて板バネ３０が下方に降下すると共に、可動接点２８も下方に降下する。
このことにより、一端部の可動接点部２９が固定接点部２２ａに当接する。すると、固定端子２２と中央端子２３とが可動接点２８を介して導通することにより、スイッチ回路がＯＮするようになっている。
また、操作部３１ａに加えていた押圧力を解除すると、復帰バネ３２の弾性力でスライド部材３１が図１２に示す初期状態に復帰すると共に、可動接点２８も初期状態の復帰して、可動接点部２９が固定接点部２２ａから離間してスイッチ回路がＯＦＦするようになっている。
【０００４】
【発明が解決しようとする課題】
しかしながら、前述したような従来のスイッチ装置は、可動接点部２９が固定接点部２２ａに当接して導通するときに発生するアークで、可動接点部２９と固定接点部２２ａとが溶着することがあるので、この溶着を引き剥がすために復帰バネ３２のバネ圧を大きくしていたので、操作部３１ａを押圧する押圧力が大きくなり、操作性が低下する問題があった。
本発明は前述したような問題点に鑑みてなされたもので、スイッチ回路がＯＮ時に発生するアークで、互いの接点部が溶着したとしても、この溶着を容易に剥離して接触不良の発生を防止することができる操作性に優れたスイッチ装置を提供することを目的とする。
【0005】
【課題を解決するための手段】
上記課題を解決するための第１の解決手段として本発明のスイッチ装置は、内部に空洞状の収納部を有するカバー部材と、前記収納部内に収納されて前記カバー部材から外方に突出させた操作部を押圧操作可能なスライド部材とを備え、前記スライド部材は、前記収納部内に位置するスイッチ支持部に可動接点を支持し、この可動接点は、略長方形状の金属板からなり、短手方向における一方側に支点部を一対形成すると共に短手方向における他方側に可動接点部を形成して、前記収納部の内底面には、前記可動接点が当接可能な固定端子を配設し、前記スライド部材には、前記スイッチ支持部に前記可動接点の前記支点部を支持可能な第１支持部を備えた支持壁と、前記可動接点部を形成した前記可動接点の前記他方側を支持可能な第２支持部を備えた壁部材とが設けられており、前記第１支持部は、前記支持壁に形成され、前記可動接点の前記支点部を支持可能な隙間を有する、それぞれ一対の第１支持突起と第２支持突起とからなり、該第１支持突起と第２支持突起との前記隙間に前記支点部を位置させて前記可動接点の前記一方側を前記スライド部材の前記支持壁側に支持すると共に、前記第２支持部は、前記支持壁と対向する前記壁部材の下方に設けられ前記支持壁側に突出形成された鈎状のストッパー部からなり、該ストッパー部の上部に前記可動接点の前記他方側を位置させて支持し、前記スライド部材を押圧操作すると、前記可動接点は、前記可動接点部が前記固定端子に当接して前記支点部を支点として、前記ストッパー部に支持した前記可動接点の短手方向における前記他方側が回動して前記ストッパー部から離間するようにしたことを特徴とする。
【０００７】
また、上記課題を解決するための第２の解決手段として、前記固定端子は、前記可動接点の前記可動接点部が当接可能な固定接点部を有し、前記可動接点の前記可動接点部の表面に設けた当接面および／または前記固定端子の前記固定接点部の表面に設けた当接面を、円弧状にふくらませて形成したことを特徴とする。
【０００８】
また、上記課題を解決するための第３の解決手段として、前記可動接点は、前記可動接点部が固定端子側に常時弾性付勢され、前記スライド部材を押圧操作すると、前記可動接点に形成した前記支点部から遠い側の前記可動接点部の前記当接面が、前記固定接点部に最初に当接し、その後、前記可動接点が前記回動することにより、互いに当接する前記当接面の当接位置が前記遠い側から前記可動接点部の中央部を経由して、前記可動接点部の中央部を挟んで前記遠い側と対向する位置にある前記支点部から近い側に移動するようにしたことを特徴とする。
【０００９】
【発明の実施の形態】
以下、本発明の一実施の形態を図１乃至図６に示す。図１は本発明の一実施の形態のスイッチ装置の斜視図であり、図２はその分解斜視図であり、図３は本発明に係わるスライド部材の上面図であり、図４は本発明に係わるスライド部材の正面図であり、図５は図４の下面図であり、図６は図５の６−６断面図であり、図７は図４の右側面図であり、図８は本発明のスイッチ装置の要部断面図であり、図９は本発明に係わる可動接点の図であり、図１０、図１１は本発明に係わる接点部の動作を説明する概略図である。
【００１０】
本発明のスイッチ装置は、図２に示すように、最下部には底壁１が配設されており、この底壁１は、樹脂材料等の絶縁材からなり外形が略矩形状をなし、後述するカバー部材１３の下方を遮蔽して、収納部１４の内底面となるようになっている。
前記底壁１の略中央部には、後述するカバー部材１３内部の収納部１４を２つに仕切る仕切壁１ａが、所定高さで立設されている。また仕切壁１ａの前後方向のそれぞれの端部には、コ字状の溝からなるガイド部１ｂが互いに対向して形成され、このガイド部１ｂで後述するスライド部材６をスライド可能にガイドするようになっている。
また、仕切壁１ａの中央部近傍の図示左側には、小判形状に形成された棒状のバネ支持部１ｃが、仕切壁１ａより低い高さで立設されている。また、仕切壁１ａの中央部には所定の幅寸法の切欠き溝１ｄが形成されている。
【００１１】
また、底壁１は、金属板を折り曲げ形成した第１、第２固定端子２、３が、それぞれ一対圧入されて一体化されている。
前記第１、第２固定端子２、３は、後述する収納部１４の内底面となる底壁１の上面から露出する接点部２ａ、３ａと、この接点部２ａ、３ａから一方側に略Ｌ字状に折り曲げられて、図示下方側に延びる端子部２ｂ、３ｂとを有し、この端子部２ｂ、３ｂが底壁１に形成した圧入穴１ｆに圧入されて、端子部２ｂ、３ｂの先端部が底壁１の裏面から外部に突出している。
また、第１固定端子２の接点部２ａには、後述する導体板からなる第１可動接点１０との導通を確実にするための、別部材からなる固定接点部２ｃがそれぞれカシメ、または圧入等により固着されている。
【００１２】
また、底壁１の棒状のバネ支持部１ｃには、板バネ４と第１コイルバネ５とが装着可能になっている。前記板バネ４は、図２に示すように、バネ支持部１ｃに挿通可能な小判形状の支持穴４ａを中央部に形成した基部４ｂと、この基部４ｂの両端部を互いに対向させて上方に折り曲げた一対の腕部４ｃとからなり、この腕部４ｃ先端には、互いに対向させて内側に円弧状に突出させた摺動部４ｄが形成されている。
そして、互いに対向する腕部４ｃの間隔寸法は、基部４ｂ側よりも先端部の摺動部４ｄ側をマイナスさせて形成している。
前記板バネ４は、小判形状の支持穴４ａを小判形状のバネ支持部１ｃに挿通させると、底壁１上面の所定位置に位置決めされて装着可能になっている。
【００１３】
また、底壁１上面に装着した板バネ４の支持穴４ａから上方に突出するバネ支持部１ｃには、圧縮コイルバネからなる第１コイルバネ５が装着可能になっている。  また、底壁１は、仕切壁１ａの両端部に形成した溝状のガイド部１ｂに、樹脂材料等の絶縁材料からなるスライド部材６が、図示上下方向に仕切壁１ａに沿ってスライド可能にガイドされている。
前記スライド部材６を図３〜図７で説明すると、スライド部材６は、図４の正面図に示すように、略中央部には、所定厚さの支持壁６ａが形成され、この支持壁６ａの上面から上方に突出する棒状の操作部６ｂが所定高さで形成されている。
この操作部６ｂには、後述する駆動棒１６を圧入可能な圧入穴６ｃが所定の穴径と深さで形成されている。
また、支持壁６ａには、図３に示す上下方向の上方側の一端面６ｄと下方側の他端面６ｅから、板状のガイド部６ｆがそれぞれ突出形成され、このガイド部６ｆが、底壁１のガイド部１ｂにスライド自在にガイド可能になっている。
【００１４】
また、図４に示す支持壁６ａの左側には、後述する第１可動接点１０を支持可能な第１接点支持部７が形成されている。この第１接点支持部７は、支持壁６ａの上部から図示左側に屋根状に延びる壁部材７ａが形成されて、内部が空洞状になっている。また、第１接点支持部７は、ガイド部６ｆを形成した支持壁６ａのそれぞれの端面６ｄ、６ｅに、後述する第１可動接点１０の支点部１０ｂを支持可能な第１支持部である一対の第１、第２支持突起７ｂ、７ｃが形成されている。
【００１５】
この第１支持部である第１、第２支持突起７ｂは、図４に示すように、所定寸法の隙間を設けて形成され、この隙間部分に後述する第１可動接点１０の支点部１０ｂを支持可能になっている。
また、第１接点支持部７は、支持壁６ａと対向する側の壁部材７ａの下方側に第２支持部である鈎状のストッパー部７ｄが形成されている。このストッパー部７ｄは、壁部材７ａの下方内面から支持壁６ａ方向である内側に突出形成されている。
また、第１接点支持部７を構成する壁部材７ａの天井面には、後述する第２コイルバネ１１を支持可能なバネ支持穴７ｅが所定深さで略矩形状に形成されている。
【００１６】
また、図４に示すように、支持壁６ａの右側には、後述する第２可動接点１１を支持可能な第２接点支持部８が形成されている。
この第２接点支持部８は、支持壁６ａの上部から図示右側に略Ｌ字状のバネ支持部８ａが形成され、このバネ支持部８ａと支持壁６ａとの間に所定幅寸法のガイド溝８ｂが形成されている。
また、ガイド溝８ｂの上部には、底壁１の仕切壁１ａに形成した切欠き溝１ｄに係合してスライド可能な係合部８ｃが形成されている。
【００１７】
また、バネ支持部８ａの下方側には、後述する捻りコイルバネからなる第２可動接点１１の巻回部１１ａを支持可能な棒状の接点支持部８ｄが突出形成されている。また、スライド部材６は、図３に示すように、接点支持部８ｄの上下に、バネ支持部８ａからの突出寸法がそれぞれ異なる一対のバネ係止部８ｅ、８ｆが形成されている。
このそれぞれのバネ係止部８ｅ、８ｆは、図４に示すように、先端部が鈎状に形成されて、後述する捻りコイルバネからなる第２可動接点１１の腕部１１ｂを係止可能になっている。
【００１８】
また、図５の下面図に示すスライド部材６の下面側で、支持壁６ａの略中央部には、所定の穴径寸法のバネ支持穴６ｇが形成されている。このバネ支持穴６ｇは、深さが図６に示すように、第１接点支持部７の壁部材７ａの天井面近傍まで形成されている。
また、図５に示す支持壁６ａに形成したバネ支持穴６ｇの上下近傍には、板バネ４の腕部４ｃを収納可能な板バネ収納部９が所定深さで形成されている。
この板バネ収納部９は、図７に示すように、下部側に所定の幅寸法で対向する第１摺動面９ａと、上部側に第１摺動面９ａの幅寸法より幅広の寸法で対向する第２摺動面９ｂとが形成され、第１摺動面９ａと第２摺動面９ｂとを連結する段差部９ｃが傾斜状に形成されている。
【００１９】
そして、図７に示すように、板バネ収納部９に、２点鎖線で示す板バネ４の腕部４ｃを収納すると、板バネ４のそれぞれの摺動部４ｄ、４ｄが第１摺動面９ａに圧接する。この状態で、スライド部材６を押圧操作して下方に降下させると、段差部９ｃに板バネ４の摺動部４ｄが乗り上げて、板バネ４が弾性変形する。
この時、スライド部材６を押圧操作する操作力が変化して、この操作力の変化で操作者がクリック感を感じることができるようになっている。
【００２０】
また、スライド部材６の第１接点支持部７には、平板状で略長方形の第１可動接点１０が支持可能になっている。この第１可動接点１０は、金属板等の導電性部材からなり、図２に示すように、平坦状で略長方形状の基部１０ａを有し、この基部１０ａの長手方向の両端部から一方側に突出する舌片状の支点部１０ｂが一対形成されている。
そして、それぞれの支点部１０ｂ、１０ｂが、スライド部材６の第１、第２支持突起７ｂ、７ｃの間の隙間部分に支持可能になっている。
また、第１可動接点１０は、基部１０ａの略中央部に円形状で所定深さのバネ受け部１０ｃが形成されている。また、基部１０ａには、一対の支点部１０ｂ近傍に、円形状に付き出し形成した可動接点部１０ｄが図示下方側に突き出し形成されている。
【００２１】
また、支点部１０ｂを形成した側と反対側の基部１０ａの他方側１０ｅが、スライド部材６のストッパー部７ｄに支持可能になっている。
また、基部１０の付き出し形成した一対の接点部は、１０ｄは、表面の当接面１０ｆが円弧状にふくらませて形成されている。
また、第１可動接点１０のバネ受け部１０ｃには、図２に示すような圧縮コイルバネからなる第２コイルバネ１１が位置するようになっており、この第２コイルバネ１１の上端部は、スライド部材６の壁部材７ａの天井面に形成したバネ支持穴７ｅに支持されて、第１可動接点１０を下方側に弾性付勢するようになっている。
【００２２】
このような第２コイルバネ１１に弾性付勢された第１可動接点１０は、支点部１０ｂが第１支持部である第１、第２支持突起７ｂ、７ｃの間に支持され、支点部１０ｂと反対側の他方側１０ｅが、第２支持部である鈎状のストッパー部７ｄに支持されて、スライド部材６に装着されている。
即ち、可動接点１０は、可動接点部１０ｄ側が第２コイルバネ１１で第１固定接点１側に常時弾性付勢され、スライド部材６を押圧操作すると、可動接点１０の可動接点部１０ｄが固定接点２の固定接点部２ｃに当接可能になっている。
【００２３】
そして、第１可動接点１０、および一対の第１固定端子２とで電源スイッチである第１スイッチ部が構成されており、スライド部材６を押圧操作して降下させると、第１可動接点１０の一対の可動接点部１０ｄ、１０ｄが、第１固定端子２のそれぞれの固定接点部２ｃ、２ｃに当接するようになっている。
このことにより、一対の第１固定端子２、２が第１可動接点１０を介して導通して、第１スイッチ部がＯＮするようになっている。
即ち、本発明のスイッチ装置は、収納部１４の内底面に、可動接点１０が当接可能な固定端子２を配設し、スライド部材６を押圧操作すると、可動接点１０は、可動接点部１０ｄが固定端子２に当接して支点部１０ｂを支点として他方側１０ｅが回動するようになっている。
【００２４】
また、スライド部材６の第２接点支持部８には、捻りコイルバネからなる第２可動接点１２が支持されている。この第２可動接点１２は、図２に示すように、ピアノ線等からなる線バネを複数回巻回した巻回部１２ａを有し、この巻回部１２ａから所定の開放角度αを有して外方に直線状に延びる２本の腕部１２ｂ、１２ｂが形成されている。
そして、第２可動接点１２は、巻回部１２ａを第２接点支持部８の接点支持部８ｄに支持すると共に、一方の腕部１２ｂを一方のバネ係止部８ｅの、他方の腕部１２ｂを他方のバネ係止部８ｆに係止するようになっている。
そして、第２可動接点１２と一対の第２固定端子３とで、検出スイッチである第２スイッチ部が構成されており、スライド部材６を押圧操作して第２可動接点１２を降下させると、２本の腕部１２ｂ、１２ｂが一対の第２固定端子３に当接する。
このことにより、一対の第２固定端子３、３が第２可動接点１２を介して導通して、第２スイッチ部がＯＮするようになっている。
【００２５】
また、底壁１の上方には、底壁１の上方を覆うカバー部材１３が配設されている。このカバー部材１３は、周囲が外周壁１３ａで囲まれると共に、上部が天井壁１３ｂで覆われており、内部にスライド部材６等を収納可能な空洞状の収納部１４が形成されている。
この空洞部１４は、下方が開放されており、この下方の開放部分に底壁１が嵌合可能になっている。
また、カバー部材１３は、上部の天井部１３ｂ中央部に、後述するゴム部材１５を取り付けるための円形状の溝部１３ｃが形成され、この溝部１３ｃの外周に所定厚さで壁状のカシメ部１３ｄが、所定高さで突出形成されている。
また、円弧状の溝部１３ｃの内側には、スライド部材６の操作部６ｂが挿通可能な貫通穴１３ｅが、所定の穴径で形成されている。
【００２６】
また、天井部１３ｂの溝部１３ｃには、図２に示すように、内部が空洞になったドーム状のゴム部材１５が配設されている。このゴム部材１５は、ドーム状の外周壁１５ａと、この外周壁１５ａ下部の外周部に形成した所定厚さの鍔部１５ｂとで構成されている。
また、ドーム状の外周壁１５ａの頂部には、後述する駆動棒１６を圧入可能な圧入穴１５ｃが貫通形成されている。
このようなゴム部材１５は、鍔部１５ｂを溝部１３ｃに位置させて状態で、カシメ部１３ｄを内側に倒し込むようにカシメ付けることにより、カバー部材１３に一体化されている。
また、駆動棒１６は、円盤状の操作部１６ａと、ゴム部材１５の圧入穴１５ｃおよびスライド部材６の圧入穴６ｃに圧入可能な棒状の圧入部１９ｂとからなり、形状がコマ状になっている。
【００２７】
このように構成された本発明のスイッチ装置の組立は、まず底壁１に第１、第２固定端子２、３のそれぞれの端子部３ｂ、４ｂを圧入する。次に、底壁１のバネ支持部１ｃに、板バネ４を挿通して装着すると共に、板バネ４の基部４ｂ上に第１コイルバネ５を挿通して装着する。
また、スライド部材６は、第１接点支持部７に第１可動接点１０を装着して支持すると共に、第１可動接点１０のバネ受け部１０ｃとスライド部材６のバネ支持穴７ｅとに第２コイルバネ１１の両端部を装着する。
【００２８】
すると、第１可動接点１０は、第１、第２支持突起７ｃ、７ｄの間に位置する支点部１０ｂを支点として、他方側１０ｅがストッパー部７ｄに支持されて、第１可動接点１０がスライド部材６に装着される。
また、スライド部材６の第２接点支持部８に、捻りコイルバネからなる第２可動接点１２を装着する。
このような、第１、第２可動接点１０、１２を装着したスライド部材６は、支持壁６ａの両端部６ｄ、６ｅから突出するガイド部６ｆを、底壁１のガイド部１ｂに嵌合させた状態で、上方からゴム部材１５をカシメ付けたカバー部材１３をかぶせて、カバー部材１３の下方の開放部分に底壁１を圧入することにより、カバー部材１３に底壁１が仮止めされる。
【００２９】
すると、スライド部材６の操作部６ｂがカバー部材１３の貫通穴１３ｅから上方に突出して、ゴム部材１５のドーム状の外周壁１５ａ内部に位置する。
次に、駆動棒１６の圧入部１６ｂをゴム部材１５の圧入穴１５ｃと、スライド部材６の圧入穴６ｃとに圧入することにより、カバー部材１３内部の収納部１４の上方が密閉される。
そのために、カバー部材１３の上方からの収納部１４への水等の侵入を防ぐことができる。
【００３０】
また、図８に示すように、底壁１の外周部とカバー部材１３の外周壁１３ａ、および第１、第２固定端子２、３と底壁１の圧入穴１ｆとのそれぞれの隙間を、エポキシ樹脂等の接着剤からなる封止材１７で封止することにより、内部の収納部１４の下方側が密閉されて、底壁１側から収納部１４への水等の侵入を防ぐことができる。
【００３１】
このように組み立てられた本発明のスイッチ装置は、内部の収納部１４が、図８に示すように、底壁１の仕切壁１ａで２つに仕切られて、図示左側に第１収納部１８、図示右側に第２収納部１９が形成されている。
そして、第１収納部１８に第１可動接点１０を支持した電源スイッチである第１スイッチ部が形成され、第２収納部１９に検出スイッチである第２可動接点１２を支持した第２スイッチ部が形成されている。
【００３２】
このような構成の本発明のスイッチ装置の操作は、図８に示すように、スライド部材６が上方に位置して、第１、第２スイッチ部がＯＦＦした初期状態から、操作者が駆動棒１６を下方に押圧して、スライド部材６を降下させると、スライド部材６の第１摺動面９ａに位置していた板バネ４の摺動部４ｄが、板バネ収納部９の傾斜状の段差部９ｃを摺動して、駆動棒１６に加えていた押圧力が増大すして、更にスライド部材６が下方に押圧されて、摺動部４ｃが第２摺動面９ｂに位置する。この時、スライド部材６を押圧操作していた操作力が急激に小さくなって、スライド部材６を押圧操作している操作者が、クリック感を感じることができる。
【００３３】
このクリック感を感じ取ると同時に、第１可動接点１０の可動接点部１０ｄが第１固定端子２の固定接点部２ｃ、２ｃに当接して、一対の第１固定端子２、２が第１可動接点１０を介して導通し、第１スイッチ部がＯＮされる。
この第１スイッチ部のＯＮ動作を詳細に説明すると、まず、スライド部材６を押圧操作すると、図１０に示すように、第１可動接点１０に形成した支点部１０ｂから遠い側の可動接点部１０ｄの当接面１０ｆが、固定接点部２ｃに最初に当接する。
【００３４】
その後、図１１に示すように、更にスライド部材６を押圧して降下させると、可動接点１０が支点部１０ｂを支点として回動する。
この可動接点１０が回動することにより、図１１に示すように、互いに当接する当接面の当接位置が、支点部１０ｂから近い位置に移動する。
即ち、互いに当接する当接面の当接位置が、図１０の一点鎖線で示すＢ点から図１１に示すＣ点に移動する。
前記当接面の当接位置がＢ点からＣ点に移動することにより、最初に当接するＢ点で、アークが発生して固定端子２と可動接点１０とが溶着したとしても、スライド部材６の押圧操作で、当接位置がＢ点からＣ点に移動するので、溶着を容易に引き剥がすことができる。
【００３５】
また、同時に第２可動接点１２の一対の腕部１２ｂ、１２ｂが第２固定端子３の接点部３ａ、３ａに当接して、一対の第２固定端子３、３が第２可動接点１２を介して導通し、第２スイッチ部がＯＮされる。
前記第１スイッチ部がスイッチＯＮ時に、アークが発生したとしても、第１収納部１８、第２収納部１９の間が仕切壁１ａで遮蔽されているので、発生したアークが第２収納部１９に飛び込むことがない。そのために、第２スイッチ部が接点不良等になることがない。
【００３６】
この第１、第２スイッチ部がＯＮ状態から、駆動棒１６の押圧を解除すると、スライド部材６が、第１コイルバネ５の付勢力で、上方に押し上げられて、図８に示す初期状態に自動復帰し、第１、第２スイッチ部がＯＦＦされる。
前述したような本発明のスイッチ装置の実施の形態は、可動接点１０の可動接点部１０ｄの当接部１０ｆを、円弧状にふくらませたもので説明したが、第１固定端子２の固定接点部２ｃの当接面を円弧状にふくらませたものでも良い。
あるいは、固定接点部２ｃおよび可動接点部１０ｄの両方の当接面を円弧状にふくらませたものでも良い。
即ち、本発明のスイッチ装置は、 可動接点１０の可動接点部１０ｄの表面に設けた当接面１０ｆおよび／または固定端子２の固定接点部２ｃの表面に設けた当接面を、円弧状にふくらませたものであれば良い。
【００３７】
【発明の効果】
以上説明したように、本発明のスイッチ装置は、スライド部材を押圧操作すると、可動接点は、可動接点部が固定端子に当接して支点部を支点として他方側が回動するようにしたので、この可動接点の回動により、可動接点と固定端子との当接位置を移動させることができ、当接時に発生するアークで可動接点と固定端子とが溶着しても、この溶着を容易に引き剥がすことができる。
【００３８】
また、スライド部材を押圧操作すると、可動接点は、第２支持部に支持した他方側が第２支持部から離間するようにしたので、可動接点の回動量を大きくとることができ、アークの発生で溶着した可動接点と固定端子と確実に引き剥がすことができる。
【００３９】
また、可動接点部の表面に設けた当接面および／または固定接点部の表面に設けた当接面を、円弧状にふくらませて形成したので、可動接点が回動することにより、互いの当接面が当接する位置を連続して移動させることができ、可動接点と固定端子との接触を安定させることができる。
【００４０】
また、スライド部材を押圧操作すると、可動接点に形成した支点部から遠い側の可動接点部の当接面が、固定接点部に最初に当接し、その後、可動接点が回動することにより、互いに当接する当接面の当接位置が支点部から近い側に移動するようにしたので、更に接触を安定させることができる。
【図面の簡単な説明】
【図１】本発明の一実施の形態のスイッチ装置の斜視図である。
【図２】本発明のスイッチ装置の分解斜視図である。
【図３】本発明に係わるスライド部材の上面図である。
【図４】本発明に係わるスライド部材の正面図である。
【図５】図４の下面図である。
【図６】図５の６−６断面図である。
【図７】図４の右側面図である。
【図８】本発明のスイッチ装置の要部断面図である。
【図９】本発明に係わる可動接点の図である。
【図１０】本発明に係わる接点部の動作を説明する概略図である。
【図１１】本発明に係わる接点部の動作を説明する概略図である。
【図１２】従来のスイッチ装置を説明する要部断面図である。
【図１３】従来のスイッチ装置を説明する要部断面図である。
【符号の説明】
１  底壁
１ａ  仕切壁
１ｂ  ガイド部
１ｃ  バネ支持部
２  第１固定端子
２ｃ固定接点部
３  第２固定端子
４  板バネ
４ｃ  腕部
４ｄ  摺動部
５  第１コイルバネ
６  スライド部材
６ａ  支持壁
６ｂ  操作部
７  第１接点支持部
７ａ  壁部材
７ｂ  第１支持突起
７ｃ  第２支持突起
７ｄ  ストッパー部
７ｅ  バネ支持部
８  第２接点支持部
９  板バネ収納部
９ａ  第１摺動面
９ｂ  第２摺動面
９ｃ  段差部
１０  第１可動接点
１０ａ  基部
１０ｂ  支点部
１０ｃ  バネ受け部
１０ｄ  接点部
１０ｆ  当接面
１１  第２コイルバネ
１２  第２可動接点
１２ａ  巻回部
１２ｂ  腕部
１３  カバー部材
１３ｂ  天井壁
１３ｄ  カシメ部
１４  収納部
１４ａ  第１収納部
１４ｂ  第２収納部
１５  ゴム部材
１５ａ  外周壁
１５ｂ  鍔部
１６  駆動棒
１６ａ  操作部
１７  封止剤
１８  第１収納部
１９  第２収納部
【図１】
0004097457.tif 000002
【図２】
0004097457.tif 000003
【図３】
0004097457.tif 000004
【図４】
0004097457.tif 000005
【図５】
0004097457.tif 000006
【図６】
0004097457.tif 000007
【図７】
0004097457.tif 000008
【図８】
0004097457.tif 000009
【図９】
0004097457.tif 000010
【図１０】
0004097457.tif 000011
【図１１】
0004097457.tif 000012
【図１２】
0004097457.tif 000013
【図１３】
0004097457.tif 000014